(57)【要約】【課題】  温水と空気との接触が少ない浴槽間オーバーフロー機構を備える温浴装置を提供すること。【解決手段】  温浴装置の手腕用浴槽１１と脚用浴槽１２との間は、浴槽間オーバーフロー機構５０と側壁オーバーフロー機構６０とにより接続される。浴槽間オーバーフロー機構５０は、温水を流出させる流出口５１を有するオーバーフロー管部５４と、前記オーバーフロー管部５４の上端を覆う下向きカップ状の形状であって、その側壁が前記流出口５１からの温水の流出高さよりも下側に至る蓋部５２とから構成される。この浴槽間オーバーフロー機構により、温水を、大気開放させることなく手腕用浴槽１１から脚用浴槽１２に流出させることが可能となる。【選択図】        図２
2007222376.tif 000002
【特許請求の範囲】
【請求項１】
手腕用浴槽と、
前記手腕用浴槽より低い位置に配置された脚用浴槽と、
温水に気体を混合させるための混合装置と、
前記混合装置から前記手腕用浴槽に温水を供給する供給路と、
前記脚用浴槽から前記混合装置に温水を回収する循環路と、
前記手腕用浴槽に貯留された温水を前記脚用浴槽に流出させる浴槽間オーバーフロー機構と、を備えた温浴装置であって、
前記浴槽間オーバーフロー機構は、
温水を流出させる流出口を有するオーバーフロー管部と、
前記オーバーフロー管部の上端を覆う下向きカップ状の形状であって、その側壁が前記流出口からの温水の流出高さよりも下側に至る蓋部と、
から構成されることを特徴とする温浴装置。
【請求項２】
請求項１に記載の温浴装置において、
前記手腕用浴槽の側壁に、その流出口の下端が前記浴槽間オーバーフロー機構の流出口よりも高い位置に配置された側壁オーバーフロー機構を備える温浴装置。
【請求項３】
請求項１または請求項２に記載の温浴装置において、
前記浴槽間オーバーフロー機構は、前記脚用浴槽に貯留された温水の水面より下方に配置された流入口より、前記脚用浴槽内に温水を流入させる温浴装置。
【発明の詳細な説明】
【技術分野】
【０００１】
この発明は、浴槽間オーバーフロー機構を備えた温浴装置に関する。
【背景技術】
【０００２】
手腕および脚の血行を局所的に促進させることが可能な温浴装置は、手腕用の浴槽と脚用の浴槽を各々備えており、使用者は、各々の浴槽に、手腕および脚を浸漬させて温浴を行っている。このような手腕用および脚用に分離した浴槽間において、手腕用浴槽からオーバーフローした温水を、手腕用浴槽よりも低い位置に配置された脚用浴槽に流出させる流路を備える温浴装置（例えば特許文献１）が知られている。
【特許文献１】特開２００６−００６６４２
【発明の開示】
【発明が解決しようとする課題】
【０００３】
しかしながら、特許文献１に記載のオーバーフロー機構によれば、温浴効果を高める成分として炭酸ガス等を溶解した温水の場合、温水が流出時に空気と混合し、脚用浴槽の温水中の炭酸ガス等の濃度が低下するという問題があった。
【０００４】
この発明は、上記課題を解決するためになされたものであり、手腕用浴槽のオーバーフローを、手腕用浴槽よりも低い位置に配置された脚用浴槽に流出させるときに、温水と空気との接触が少ない温浴装置を提供することを目的とする。
【課題を解決するための手段】
【０００５】
請求項１に記載の発明は、手腕用浴槽と、前記手腕用浴槽より低い位置に配置された脚用浴槽と、温水に気体を混合させるための混合装置と、前記混合装置から温水を前記手腕用浴槽に供給する供給路と、前記脚用浴槽から前記混合装置に温水を回収する循環路と、前記手用浴槽に貯留された温水を前記脚用浴槽に流出させる浴槽間オーバーフロー機構とを備えた温浴装置であって、前記浴槽間オーバーフロー機構は、温水を流出させる流出口を有するオーバーフロー管部と、前記オーバーフロー管部の上端を覆う下向きカップ状の形状であって、その側壁が前記流出口からの温水の流出高さよりも下側に至る蓋部とから構成される。
【０００６】
請求項２に記載の発明は、請求項１に記載の温浴装置において、前記手腕用浴槽の側壁に、その流出口の下端が前記浴槽間オーバーフロー機構の流出口よりも高い位置に配置された側壁オーバーフロー機構を備える。
【０００７】
請求項３に記載の発明は、請求項１または請求項２に記載の温浴装置において、前記浴槽間オーバーフロー機構は、前記脚用浴槽に貯留された温水の水面より下方に配置された流入口より、前記脚用浴槽内に温水を流入させる。
【発明の効果】
【０００８】
請求項１に記載の発明によれば、浴槽間オーバーフロー機構は、オーバーフロー管部の上端を覆う下向きカップ状の形状であって、その側壁が流出口からの温水の流出高さよりも下側に至る蓋部を備えることから、流出する温水と空気との混合による、気体の濃度低下を軽減することが可能となる。
【０００９】
請求項２に記載の発明によれば、手腕用浴槽の側壁に、その流出口の下端が浴槽間オーバーフロー機構の流出口よりも高い位置である側壁オーバーフロー機構を備えることから、急激な手腕用浴槽内の温水水位の変化に対しても、温水が温浴装置の外に溢れることなく、効率よく脚用浴槽に温水を流出させることが可能となる。
【００１０】
請求項３に記載の発明によれば、浴槽間オーバーフロー機構の脚用浴槽への流入口が水面下にあるため、より一層、温水と空気との混合による、炭酸ガス等の濃度低下を軽減することが可能となる。
【発明を実施するための最良の形態】
【００１１】
以下、この発明の第１実施形態について図面に基づいて説明する。図１は、この発明の第１実施形態に係る温浴装置を示す斜視図である。
【００１２】
この温浴装置は、多人数が同時に使用できる温浴装置であって、長椅子２１と長椅子２１の前方に並設される腕用浴槽１１および脚用浴槽１２と、温水に気体を混合させるための混合装置１と、温水を手腕用浴槽１１に供給する供給路３１と、脚用浴槽１２からオーバーフローした温水を混合装置１に回収するための循環路３２とを備える。
【００１３】
この温浴装置は、このように手腕用浴槽１１と脚用浴槽１２を備えることから、局所的に体内の血行を促進させることが可能となる。腕用浴槽１１と脚用浴槽１２とは、柱２２により上下方向に接続される。これにより、省スペースでありながら、複数人が同時に温浴装置を利用することが可能となる。
【００１４】
図２は、この発明の第１実施形態に係る温浴装置の構成を模式的に示す図である。
【００１５】
この温浴装置は、手腕用浴槽１１から脚用浴槽１２に温水を供給させる浴槽間オーバーフロー機構５０および側壁オーバーフロー機構６０と、手腕用浴槽１１および脚用浴槽１２の温水を排出する排水路３３および排水路３４と、排水の開閉を行う開閉弁４１および開閉弁４２とを備える。
【００１６】
手腕用浴槽１１と脚用浴槽１２との間は、浴槽間オーバーフロー機構５０と側壁オーバーフロー機構６０により接続される。混合装置１から供給路３１により供給された温水は、手腕用浴槽１１から脚用浴槽１２へと流れ、脚用浴槽１２からオーバーフローした温水は循環路３２を介して混合装置１へ回収され、混合装置１によって再度気体が混合された温水が手腕用浴槽１１に供給される。このような構成を備えることにより、オーバーフローした温水を効率よく循環させ、手腕用浴槽１１には常に気体を豊富に含有する温水を供給させることが可能となる。
【００１７】
また、温浴装置の手腕用浴槽１１から脚用浴槽１２への温水の流路が、浴槽間オーバーフロー機構５０を介する流路のみであった場合、一度に多人数が浴槽に手腕を入れることによる急激な手腕用浴槽１１の水位変化により、温水が温浴装置外に流出するという問題が発生する。しかし、この温浴装置において、側壁オーバーフロー機構６０を備えることから、この側壁オーバーフロー機構６０を介して手腕用浴槽１１からオーバフローした温水を脚用浴槽１２に効率的に流入させることが可能となる。
【００１８】
手腕用浴槽１１と脚用浴槽１２との底部に接続された排水路３３および排水路３４は、開閉弁４１および開閉弁４２を備える。これにより、温浴装置の使用後は、開閉弁４１および開閉弁４２を開放することにより温水をドレイン等にスムーズに排出することが可能となる。
【００１９】
なお、循環路３２は混合装置１のみではなく、その他のろ過装置等に接続されてもよい。
【００２０】
また、排水路３４を循環路３２に連結させ、排水路３３および排水路３４に設置された開閉弁４１および開閉弁４２を開放させた状態にし、脚用浴槽１２からオーバーフローした温水と、排水路を介して浴槽から排出される温水を同時に混合装置１に循環させる構成としてもよい。
【００２１】
側壁オーバーフロー機構６０の手腕用浴槽１１側壁に設けられた流出口６１は、手腕用浴槽１１内の急激な水位変化に対応するため、浴槽管オーバーフロ機構５０の流出口５１よりも高い位置に配置される。側壁の流出口６１からオーバーフローした温水は、手腕用浴槽１１の外側に設けられた溝部６２の底部から側壁オーバーフロー管部６４へと導かれ、脚用浴槽１２の温水水面下に配置された流入口６３より脚用浴槽１２に流入する。脚用浴槽１２への流入口６３が水面下に配置されることにより、温水と空気との混合を抑制することができる。
【００２２】
また、脚用浴槽１２においても、その側壁に温水の流出口７１を備え、流出口７１からオーバーフローした温水は、溝部７２の底部より循環路３２へ導かれる。
【００２３】
次に、浴槽間オーバーフロー機構５０について説明する。図３は浴槽間オーバーフロー機構５０の上端部分の部分拡大図であり、図４はその断面図である。
【００２４】
浴槽間オーバーフロー機構５０は、手腕用浴槽１１側のオーバーフロー管部５４の側壁に一対の円形の流出口５１と、オーバーフロー管部５４の上端を覆う下向きカップ状の蓋部５２とを備える。
【００２５】
この実施形態において、浴槽間オーバーフロー機構５０の手腕用浴槽１１内に突出している部分は、蓋部５２とオーバーフロー管部５４とが一体成型された可撓性合成樹脂製のものである。よって、手腕用浴槽１１に温水を満たした温浴装置使用時には、まず、管部５４を曲げる等して蓋部５２を上向きにし、蓋部内５５の空気を押し出して温水で満たしておく。ただし、図５に示すように、流出口５１がオーバーフロー管部５４の上端に配置されている場合には、上記操作は不要である。また、脚用浴槽１２への流入口５３は脚用浴槽１２の温水水面下に配置される。
【００２６】
温水が管路を介して手腕用浴槽１１から脚用浴槽１２に流入するときに大気開放された状態であると、温水に含まれる温浴効果を高める炭酸ガス等の気体の一部が液体から乖離して細かい泡となって流出してしまうという問題が発生する。このとき、脚用浴槽１２の気体濃度が著しく低下する。しかし、この発明においては、浴槽間オーバーフロー機構５０によって手腕用浴槽１１から脚用浴槽１２に流入させる温水は、大気開放されることがなく、また、蓋部５２は下向きカップ状であるため、蓋部内５５の上部は、温水から乖離した気体に満たされることとなる。よって、手腕用浴槽１１から脚用浴槽１２に流入させる温水中の炭酸ガス等の気体の濃度低下を抑制することが可能となる。
【００２７】
また、蓋部５２の側壁の上下方向の長さＬ1は、流出口５１からの温水の流出高さよりも下側に至る長さとなるように設定されている。また、蓋部５２の側壁の流出口５１の下端位置から下側の長さＬ２は、温浴装置利用者が手腕用浴槽から手腕を引き上げた時の一時的な水位低下によっても、蓋部内５５に空気が入ることがない長さ、すなわち、蓋部５２の下端が温水水面下であるのに十分な長さでなければならない。蓋部５２の側壁の流出口５１の下端位置から下側の長さＬ２が上記のような長さである場合、温水表面より下層の温水を流出口５１へ流出させることが可能となる。このことにより、手腕用浴槽１１の温水表層ではなく下層の温水を流出させることとなり、脚用浴槽１２の温水中の、温浴効果を高めるために混合されている炭酸ガス等の気体の濃度低下を軽減することができる。
【００２８】
さらに、浴槽間オーバーフロー機構５０の脚用浴槽側１２の流入口５３は水面下にあるため、温水が脚用浴槽１２に流入する時に気体の一部が空気との混合により液体から乖離することを抑制できる。
【００２９】
なお、手腕用浴槽１１内に突出しているオーバーフロー管部５４が金属などの非可撓性素材である場合には、蓋部５２の上面に蓋部内５５の空気を抜くための空気穴と、その穴を塞ぐための栓とを備え、温浴装置の使用開始時に蓋部内５５を温水で満たせるようにしておく必要がある。また、蓋部５２は、流出口５１を設けないオーバーフロー管部５４に、蓋部５２をその側壁がオーバーフロー管部５４上端部よりも下側になるよう、支柱等で離隔した状態に接続させてもよい。このように、温水の流入口がオーバーフロー管部５４の上端にある場合には、上記空気抜きのための空気穴やその穴を塞ぐための栓を設けなくてもよい。
【００３０】
図６は、この発明の第２実施形態に係る温浴装置の斜視図である。図７は、その側面から一部を断面にして示す要部断面図である。
【００３１】
第２実施形態に係る温浴装置は、座部２１１と背凭れ部２１２とを有する椅子２１０と、椅子２１０における座部２１１の下方に配置される脚用浴槽３１２と、椅子２１０における座部２１１の各側方に配置される一対の手腕用浴槽３１１と、手腕用浴槽３１１に流入する温水に炭酸ガス等を混合する混合装置１とを備える。
【００３２】
第２実施形態に係る温浴装置は、単一人の利用を目的としたもので、脚用浴槽３１２からみて斜め上方に、手腕用浴槽３１１を左右の手腕用に一対備える。このように、手腕用浴槽３１１が複数あり、脚用浴槽３１２の垂直上方に手腕用浴槽３１１が設置されない場合であっても、両浴槽間の位置に高低差があれば、流出する温水と空気との接触が少ない浴槽間オーバーフロー機構５０を備えることができる。
【図面の簡単な説明】
【００３３】
【図１】この発明の第１実施形態に係る温浴装置を示す斜視図である。
【図２】この発明の第１実施形態に係る温浴装置の構成の模式図である。
【図３】この発明の第１実施形態に係る温浴装置を構成する浴槽間オーバーフロー機構５０の上端部を示す斜視図である。
【図４】この発明の第１実施形態に係る温浴装置を構成する浴槽間オーバーフロー機構５０の上端部の断面図である。
【図５】この発明の第１実施形態に係る温浴装置を構成する浴槽間オーバーフロー機構５０の上端部の断面図である。
【図６】この発明の第２実施形態に係る温浴装置を示す斜視図である。
【図７】この発明の第２実施形態に係る温浴装置をその側面から一部を断面にして示す要部断面図である。
【符号の説明】
【００３４】
１      混合装置
１１    手腕用浴槽
１２    脚用浴槽
２１    長椅子
２２    柱
３１    供給路
３２    循環路
３３    排水路
３４    排水路
４１    開閉弁
４２    開閉弁
５０    浴槽間オーバーフロー機構
５１    流出口
５２    蓋部
５３    流入口
５４    オーバーフロー管部
５５    蓋部内
６０    側壁オーバーフロー機構
６１    流入口
６２    溝部
６３    流入口
６４    オーバーフロー管部
７１    流出口
７２    溝部
２１０  椅子
２１１  座部
２１２  背凭れ部
３１１  手腕用浴槽
３１２  脚用浴槽
【図１】
2007222376.tif 000003
【図２】
2007222376.tif 000004
【図３】
2007222376.tif 000005
【図４】
2007222376.tif 000006
【図５】
2007222376.tif 000007
【図６】
2007222376.tif 000008
【図７】
2007222376.tif 000009